(57)【要約】【課題】従来の現金自動預払機においては、高齢者や身体の具合の悪い人ような立って操作することに簡単な補助を必要とするような操作者の場合、操作パネルに寄りかかったり手をかけたりして操作することがある。このような場合、操作パネルは周囲以外に体重をかけられると撓みが発生するため内部に搭載したディスプレイや配線に障害が発生する等のおそれがという問題がある。【解決手段】キャビネットの前面に前面パネルもしくは前面保守用扉等の前面保護板を設け、キャビネットおよび前面保護板の上部に操作パネルを配置した現金自動預払機において、操作パネルに取手を配置し、また、上記の構成において、キャビネットの上端両側のそれぞれに少なくとも１個のブッシュおよび位置決めスタッドをそれぞれ設け、フロントパネルの上端に支持ブッシュを設けたことを特徴とする。【選択図】        図１
2005242638.tif 000002
【特許請求の範囲】
【請求項１】
キャビネットの前面に前面パネルもしくは前面保守用扉等の前面保護板を設け、キャビネットおよび前面保護板の上部に操作パネルを配置した現金自動預払機において、
操作パネルに取手を配置したことを特徴とする現金自動預払機。
【請求項２】
請求項１において、キャビネットの上端両側のそれぞれに少なくとも１個のブッシュおよび位置決めスタッドをそれぞれ設け、前面パネルもしくは前面保守用扉等の前面保護板の上端に支持ブッシュを設けたことを特徴とする現金自動預払機。
【請求項３】
請求項１において、取手に握り部を設けたことを特徴とする現金自動預払機。
【請求項４】
請求項１において、取手に吊り下げ部を設けたことを特徴とする現金自動預払機。
【請求項５】
請求項１において、取手を操作パネルに固定して取り付けたことを特徴とする現金自動預払機。
【請求項６】
請求項１において、取手を操作パネルに一体に成形したことを特徴とする現金自動預払機。
【請求項７】
請求項１において、取手が操作パネルの前面端より突出していることを特徴とする現金自動預払機。
【請求項８】
請求項１において、取手が操作パネルの前面端より出没可能に設けたことを特徴とする現金自動預払機。
【請求項９】
請求項１において、取手をキャビネットに固定して取り付けたことを特徴とする現金自動預払機。
【発明の詳細な説明】
【技術分野】
【０００１】
本発明は、現金自動預払機に関する。
【背景技術】
【０００２】
従来の現金自動預払機は、一般に図２５に示すような構成をしている。
図において、１はキャビネットであり、内部には一般に、紙幣処理機、硬貨処理機、通帳記帳機、カードリーダライタ等が搭載されている。
２はフロントパネルであり、上部表面側カバーがあり、はねあげ開閉が可能なようになっており、通帳出し入れ口３およびカード出し入れ口４が設けられている。
【０００３】
５は操作パネルであり、取引操作を行うタッチパネル付きディスプレイ表示部６および紙幣出し入れ口７、硬貨出し入れ口８が設けてある。
９は前面保護板を構成する前面パネル又は前面保守用扉であり、前面パネルの場合には一般にはねじで固定されており、前面保守用扉の場合には開閉可能となっている。
【発明の開示】
【発明が解決しようとする課題】
【０００４】
しかしながら、上述した従来の現金自動預払機においては、高齢者や身体の具合の悪い人ような立って操作することに簡単な補助を必要とするような操作者の場合、操作パネルに寄りかかったり手をかけたりして操作することがある。このような場合、操作パネルは周囲以外に体重をかけられると図２６に示す如く、撓みが発生するため内部に搭載したディスプレイや配線に障害が発生する等のおそれがという問題がある。
【０００５】
しかし、周囲は滑り易くしかも幅がせまいために周囲以外の個所に手をかけることが多い。
本発明は、上記の問題点を解決するためになされたもので、操作パネルにつかまる手段を提供することを目的とする。
【課題を解決するための手段】
【０００６】
本発明は、上記課題を解決するために、  キャビネットの前面に前面パネルもしくは前面保守用扉等の前面保護板を設け、キャビネットおよび前面保護板の上部に操作パネルを配置した現金自動預払機において、操作パネルに取手を配置したことを特徴とする。
また、上記の構成において、キャビネットの上端両側のそれぞれに少なくとも１個のブッシュおよび位置決めスタッドをそれぞれ設け、前面パネルもしくは前面保守用扉等の前面保護板の上端に支持ブッシュを設けたことを特徴とする。
【発明の効果】
【０００７】
これにより、本発明は、使用者は取手につかまって身体を支えながら操作パネルの操作を行うことができ、高齢者や身体の具合の悪い操作者も操作がし易くなるという効果が得られる。
また、取手につかまっても操作パネルが撓んだり紙幣出し入れ口等の位置がずれたりすることがない効果を有する。
【発明を実施するための最良の形態】
【０００８】
以下に、図面を参照して本発明の実施例について説明する。
第１実施例
図１は本発明の第１実施例を示す全体説明図、図２は操作パネルの説明図である。
図において、１はキャビネットであり、内部には一般に、紙幣処理機、硬貨処理機、通帳記帳機、カードリーダライタ等が搭載されている。
【０００９】
２はフロントパネルであり、上部表面側カバーがあり、はねあげ開閉が可能なようになっており、通帳出し入れ口３およびカード出し入れ口４が設けられている。
５は操作パネルであり、取引操作を行うタッチパネル付きディスプレイ表示部６および紙幣出し入れ口７、硬貨出し入れ口８が設けてある。
さらに、保守を容易にするために後部を回動可能にキャビネット１に取り付けられており、さらにブッシュ１０ａ、１０ｂによって閉じたときの重量を支えるようになっている。
【００１０】
１１ａ、１１ｂはキャビネット１の上面左右に、操作パネル５を閉じた状態で左右方向位置ずれ防止するための位置決めスタッドであり、操作パネル５の下面に設けたスタッド受け穴１２ａ、１２ｂと嵌合するようになっている。
９は前面保護板を構成する前面パネル又は前面保守用扉であり、その上面には図２、図３、図４に示す如く、支持ブッシュ１４が固定ねじ１５等によって取り付けられている。この支持ブッシュ１４は、図４に示す如く、後方部に傾斜部１６が形成されている。
【００１１】
前面パネルの場合には一般にはねじでキャビネット１に固定されており、前面保守用扉の場合には蝶番機構によって開閉可能となっている。
前面保守用扉である場合は、図２に示す如く、蝶番機構の反対側（ロック機構側）には、上部より荷重がかかった場合に前面保守用扉が下がらないようにキャビネット１に調整穴ブラケット１７が設けてあり、前面保守用扉にはこの調整穴ブラケット１７に嵌合する荷重受けスタッド１８が固定されている。
【００１２】
１９は取手であり、操作パネル５上面周囲に取り付けたもので、左右どちら側に付けてもよいが、一般には図示する如く、左手前の位置がよく、さらにその一部は操作パネル５の前面端より突出するように取り付けられている。
その取り付け状態は、図５に示す如く、基部２０をねじやボルトによって操作パネル５の内側周囲に設けたフレーム２１に固定される。
【００１３】
この取手１９は、上記基部２０に連続して上部に握り部２２があり、さらに上記基部２０に連続して上部の握り部２２に対向する位置に吊り下げ部２３が上方に傾斜した状態で設けてある。２４は上記握り部２２に連続して形成した返り部であり、吊り下げ部２３先端との間に隙間２５が形成されている。この返り部２４によって吊り下げ部２３に荷物を吊り下げたときに何者かに咄嗟に荷物をひったくられるのを防ぐことができると共に握り部２２につかまった手が抜けるのを防ぐ。
【００１４】
なお、この取手１９の一部が操作パネル５の前面端より突出している状態は、例えば、図５に示す如く、吊り下げ部２３も突出しているのがよい。
上記の構成の作用を説明する。
取手１９は、例えば車椅子の人がその握り部２２を握って現金自動預払機に近づくことができたり、老人等が握り部２２を握って身体を支えることができ、さらには、取手１９の操作パネルの前面端より突出している部分に身体を傾けて寄りかかりながら操作することも可能である。
【００１５】
このようにして取手１９に体重をかけることによって操作パネル５に荷重がかかっても支持ブッシュ１４により荷重を逃がすことができ、操作パネル５が撓むようなことがない。
また、前面保護板９が前面保守用扉である場合、支持ブッシュ１４に設けた傾斜部１６により、操作パネル５と前面保守用扉９の上端との隙間が取手１９に体重をかけた影響で狭くなった場合でも滑らかに開閉させることができる。
【００１６】
さらに、調整穴ブラケット１７と荷重受けスタッド１８とが嵌合することによって、前面保守用扉９がキャビネット１に対して下がることもない。
また、利用者は買い物袋等の小物を吊り下げ部２３に掛けておくことができ、操作パネルの操作性を向上させることができる。
第２実施例
図６は本発明の第２実施例を示す説明図、図７は要部拡大説明図、図８は動作説明図、図９動作説明図である。
【００１７】
なお、上記第１実施例と同様の部分は、同一の符号を付してその説明を省略する。
図において、３０は取手であり、直線状やＵ字状等の握り部３１とそれに続くスライド部３２からなり、このスライド部３２の端部付近に回転止め突起３３が設けてある。３４は握り部３１に続く返り部である。
この取手３０を取り付ける操作パネル５および前面パネルもしくは前面保守扉９には握り部３１および返り部３４を収納する収納溝３５が形成されている。
【００１８】
操作パネル５には、スライド部３２および回転止め突起３３が移動する移動溝３６が設けてあり、その移動溝３６には取手３０を引き出したときに取手３０のスライド部３２が抜けないように抜け止め３７が設けてあり、その抜け止め３７まで取手３０を引き出したところで回転させる回転溝３８が形成されている。この回転溝３８には取手３０を２７０度回転させると回転止め突起３３が当接する回転止め部３９が設けてあり、さらに、回転溝３８は、回転止め突起３３の前後方向の動きを規制する幅となっており、取手３０を引き出した使用位置では前後方向に固定された状態が得られるようになっている。
【００１９】
なお、上記の説明において、図面では取手３０を操作パネル５の右前に位置させて説明したが、当然左前に位置させてもよく、むしろ一般的には上記の如く左前の位置のほうが使いよい。その場合、取手３０の回転方向は上記説明とは逆方向となる。
この他の構成は上記実施例と同様であり、説明は省略する。
上記の構成の作用を説明する。
【００２０】
通常は、取手３０はその握り部３１及び返り部３４は前面パネルもしくは前面保守用扉９の収納溝３５内に収納されている。
そこで、高齢者や身体が不自由で立って操作することに簡単な補助を必要とするような利用者は、必要に応じて、握り部３１を持って取手３０を抜け止め３７に当たるまで引出す。
【００２１】
つぎに、取手３０をスライド部３２を軸にして２７０度回転させ、回転止め突起３３を回転止め部３９に突き当てる。この状態で取手３０は固定状態となり、握り部３１を握って身体を支えたり突出している取手に寄りかかったりすることができ、上記第１実施例と同様な作用が得られる。
第３実施例
図１０は本発明の第３実施例を示す説明図、図１１は要部拡大説明図である。
【００２２】
なお、上記第１実施例と同様の部分は、同一の符号を付してその説明を省略する。
図において、４０は取手であり、操作者側（手前）が低くなるようにしたＶ字状や三角形状をなすように握り部４１を基部４２に対して傾斜させて形成してある。
このような構成の取手４０を、操作パネル５の上面側部もしくは上面手前（図面には上面側部を示す。）に沿うように設置する。この場合も、上面側部は左側のほうが使い勝手はよく、上面手前の場合もなるたけ左隅に近い位置に配置されているほうが使い勝手はよいが取付け位置は左右どちら側でもよい。
【００２３】
この取手４０の取り付け具合は、握り部４１を支持する基部４２を操作パネル５の周囲のフレーム２１にねじやボルトによって固定され、奥側に握り部４１の開口４３が位置することになる。
上記の構成の作用を説明する。
これによって、使用者は、握り部４１を握って身体を支えながら操作パネル５を操作することができる。
【００２４】
また、図１２に示す如く、取手４０があるほう側の手も取手４０の握り部４１が手前方向に傾斜していることから操作の妨げにならない。
第４実施例
図１３は本発明の第４実施例を示す説明図、図１４、図１５は要部断面説明図である。
なお、上記第１実施例と同様の部分は、同一の符号を付してその説明を省略する。
【００２５】
図において、５０は取手であり、操作パネル５の側部もしくは前部（本実施例では側部の場合を示す。）に設けた凹部５１内に側部もしくは前部に沿うように設けてある。
取手５０の取り付け構造は、図１４に示す如く、操作パネル５周囲のフレーム２１に取手フレーム５２を接続して凹部５１を形成し、樹脂製カバー５３で覆ってある。この凹部５１の取手フレーム５２の一方側に設けた通孔に取手５０の握り部５４を通して一端に設けたフランジ５５を当て、握り部５４の他端を固定ねじ５６等で取手フレーム５２固定する。
【００２６】
また、図１５に示す如く、握り部５４の一端だけを取手フレーム５２にねじ５６等で固定して、握り部５４の他端は樹脂製カバー５３との間に隙間５７を設けた片持ち構造としてもよい。
さらに、図１６の側面説明図および図１７の正面説明図に示す如く、操作パネル５の前側フレーム２１に撓み防止梁５８を溶接等によって取り付けておくとよく、この撓み防止梁５８の下端が前面パネルもしくは前面保守用扉の上端に当接して操作パネル５に荷重がかかった場合の撓みを防止する。
【００２７】
なお、本実施例の説明も取手を右側に設けた場合で説明したが、左側に設けたほうが一般的には使い勝手はよい。
この構成によって、使用者は、取手につかまって操作をすることが可能となる。
第５実施例
図１８は本発明の第５実施例を示す説明図、図１９は要部断面説明図である。
【００２８】
なお、上記第１実施例と同様の部分は、同一の符号を付してその説明を省略する。
図において、６０は取手である。この取手６０は、取手補強材６１の下部を操作パネル５の側部もしは前部のフレーム２１に溶接もしくは固定ねじ（本実施例では固定ねじを示す。）等で固定し、操作パネル５の合成樹脂製の外被ケース６２のその取手補強材６１に該当する個所に取手補強材６１を覆うように取手６０を突出成形した構造である。
【００２９】
この構造においても、図２０及び図２１に示す如く、上記実施例と同様に撓み防止梁５８を設けておくとよい。
この構造によっても、使用者は、取手につかまりながら操作パネルの操作を行うことができる。
第６実施例
図２２は本発明の第６実施例を示す説明図である。
【００３０】
なお、上記第１実施例と同様の部分は、同一の符号を付してその説明を省略する。
図において、７０は取手である。この取手７０は、四角形状等の任意形状の取手補強材７１をキャビネット１の側部に溶接やねじ等によって固定し、操作パネル５の合成樹脂製の外被ケース７２のその取手補強材７１に該当する個所に取手補強材７１を覆うように取手７０を突出成形した構造である。
【００３１】
この構造によっても、使用者は、取手につかまりながら操作パネルの操作を行うことができる。
また、取手補強材がキャビネットに取り付けられているために、取手につかまって体重をかけても操作パネルが撓むようなことがなく、内部ユニットに悪い影響をおよぼすことがない。
【００３２】
第７実施例
図２３は本発明の第７実施例を示す説明図、図２４は平面説明図である。
なお、上記第１実施例と同様の部分は、同一の符号を付してその説明を省略する。
図において、８０は取手であり、握り部８１と取り付け基部８２からなる。キャビネット１の側板に取手取り付け部８３を溶接固定してある。この取手取り付け部８３の後述する操作パネル側下端部８７に該当する個所に操作パネル受けのフランジ８４を設け、さらに奥側に端面に傾斜面８５を設けて底面を広げることによって力の分散をはかるようにしてある。
【００３３】
このようにした取手取り付け部８３に、取手８０の取り付け基部８２をねじ等によって取り付け固定する。
操作パネル５のその取手８０に該当する個所に、取手８０の握り部８１が突出し、しかも取手に邪魔なく開閉が可能なように切り欠き８６を形成し、この切り欠き８６の側下部が上記操作パネル側下端部８７となる。
【００３４】
この構造によっても、使用者は、取手につかまりながら操作パネルの操作を行うことができる。
また、取手が直接キャビネットに固定されているために、取手につかまっても操作パネルには荷重がかかることがなく、操作パネルの内部ユニットに悪い影響をおよぼすことがない。
【００３５】
さらに、フランジ８４および傾斜面８５を設けたことにより、取手および操作パネルにかかる荷重をキャビネットに分散させることができる。
このように各実施例を説明したが、それぞれの実施例において、操作パネルの側部に取手を突出させて使用者がそれにつかまりながら操作パネルの操作を可能にしたにもかかわらず、操作パネルにその荷重がかかっても紙幣入出金機および硬貨処理機の現金出し入れ口との位置がずれることがない。
【図面の簡単な説明】
【００３６】
【図１】第１実施例を示す全体説明図
【図２】操作パネルの説明図
【図３】操作パネルの正面説明図
【図４】支持ブッシュの説明図
【図５】取手の説明図
【図６】第２実施例の説明図
【図７】要部拡大説明図
【図８】動作説明図
【図９】動作説明図
【図１０】第３実施例の説明図
【図１１】要部拡大説明図
【図１２】使用状態を示す説明図
【図１３】第４実施例の説明図
【図１４】要部断面説明図
【図１５】要部断面説明図
【図１６】操作パネルの側面説明図
【図１７】操作パネルの正面説明図
【図１８】第５実施例の説明図
【図１９】要部断面説明図
【図２０】操作パネルの側面説明図
【図２１】操作パネルの正面説明図
【図２２】第６実施例の説明図
【図２３】第７実施例の説明図
【図２４】平面説明図
【図２５】従来技術の説明図
【図２６】従来技術の操作パネルの撓む状態の説明図
【符号の説明】
【００３７】
１  キャビネット
２  フロントパネル
３  通帳出し入れ口
４  カード出し入れ口
５  操作パネル
６  ディスプレイ表示部
７  紙幣出し入れ口
８  硬貨出し入れ口
９ａ、９ｂ  支点
１０ａ、１０ｂ  ブッシュ
１１ａ、１１ｂ  位置決めスタッド
１２ａ、１２ｂ  スタッド受け孔
１３  前面パネル又は前面保守用扉
１４  支持ブッシュ
１５  固定ねじ
１６  傾斜部
１７  調整穴ブラケット
１８  荷重受けスタッド
１９  取手
２０  基部
２１  フレーム
２２  握り部
２３  吊り下げ部
２４  返り部
２５  隙間  
３０  取手
３１  握り部
３２  スライド部
３３  回転止め突起
３４  返り部
３５  収納溝
３６  移動溝
３７  抜け止め
３８  回転溝
４０  取手
４１  握り部
４２  基部
４３  開口
５０  取手
５１  凹部
５２  取手フレーム
５３  樹脂製カバー
５４  握り部
５５  フランジ
５６  ねじ
５７  隙間
５８  撓み防止梁
６０  取手
６１  取手補強材
７０  取手
７１  取手補強材
８０  取手
８１  握り部
８２  基部
８３  取手取り付け部
８４  フランジ
８５  傾斜面
８６  切り欠き
８７  操作パネル側下端部
【図１】
2005242638.tif 000003
【図２】
2005242638.tif 000004
【図３】
2005242638.tif 000005
【図４】
2005242638.tif 000006
【図５】
2005242638.tif 000007
【図６】
2005242638.tif 000008
【図７】
2005242638.tif 000009
【図８】
2005242638.tif 000010
【図９】
2005242638.tif 000011
【図１０】
2005242638.tif 000012
【図１１】
2005242638.tif 000013
【図１２】
2005242638.tif 000014
【図１３】
2005242638.tif 000015
【図１４】
2005242638.tif 000016
【図１５】
2005242638.tif 000017
【図１６】
2005242638.tif 000018
【図１７】
2005242638.tif 000019
【図１８】
2005242638.tif 000020
【図１９】
2005242638.tif 000021
【図２０】
2005242638.tif 000022
【図２１】
2005242638.tif 000023
【図２２】
2005242638.tif 000024
【図２３】
2005242638.tif 000025
【図２４】
2005242638.tif 000026
【図２５】
2005242638.tif 000027
【図２６】
2005242638.tif 000028